(57)【要約】【課題】使い勝手を格段と向上させ得る情報処理装置、情報登録方法及びそのプログラムを実現する。【解決手段】携帯電話機１は、レシートＲＣを見ながら操作部１０を介して買物情報ＩＮＦ１を１字ずつ入力するような入力作業をユーザに行わせることなく、レシートＲＣに印刷されている買物情報ＩＮＦ１を、当該買物情報ＩＮＦ１を格納するための家計簿データベースへ確実に登録することができるので、この結果格段と使い勝手を向上させることができる。【選択図】図２
2011129136.tif 000002
【特許請求の範囲】
【請求項１】
媒体に印刷されたコードを取り込む取込手段と、
上記取込手段によって取り込んだ上記コードに基づいて起動すべきアプリケーションプログラムを特定する特定手段と、
上記特定手段によって特定した上記アプリケーションプログラムを起動する起動手段と、
上記取込手段によって取り込んだ上記コードに基づいて、上記コードに含まれる情報を登録すべきデータベースを判断するデータベース判断手段と、
上記取込手段によって取り込んだ上記コードに含まれる情報のうち、上記アプリケーションプログラムが管理するデータベースに登録すべき項目をユーザに選択させる選択手段と
を有し、
上記アプリケーションプログラムは、上記データベース判断手段により判断されたデータベースに対して、上記コードに含まれる情報のうち上記ユーザに選択された項目を登録する
情報処理装置。
【請求項２】
上記アプリケーションプログラムは、ユーザの買物情報を格納するための家計簿データベースに対して、上記媒体としてのレシートに印刷された上記コードに含まれる上記ユーザの買物情報を登録する
請求項１に記載の情報処理装置。
【請求項３】
上記アプリケーションプログラムは、個人情報を格納するための個人情報データベースに対して、上記媒体としての名刺に印刷された上記コードに含まれる上記個人情報を登録する
請求項１に記載の情報処理装置。
【請求項４】
上記アプリケーションプログラムは、コンテンツデータに関連する関連情報を格納するための関連情報データベースに対して、上記コンテンツデータが記憶されているデータ記憶媒体に付属の上記媒体に印刷された上記コードに含まれる上記関連情報を登録する
請求項１に記載の情報処理装置。
【請求項５】
媒体に印刷されたコードを取り込む取込ステップと、
上記取込ステップによって取り込んだ上記コードに基づいて起動すべきアプリケーションプログラムを特定する特定ステップと、
上記特定ステップによって特定した上記アプリケーションプログラムを起動する起動ステップと、
上記取込ステップによって取り込んだ上記コードに基づいて、上記コードに含まれる情報を登録すべきデータベースを判断するデータベース判断ステップと、
上記取込ステップによって取り込んだ上記コードに含まれる情報のうち、上記アプリケーションプログラムが管理するデータベースに登録すべき項目をユーザに選択させる選択ステップと
を有し、
上記アプリケーションプログラムは、上記データベース判断ステップにより判断されたデータベースに対して、上記コードに含まれる情報のうち上記ユーザに選択された項目を登録する
情報処理装置の情報登録方法。
【請求項６】
情報処理装置に対し、
媒体に印刷されたコードを取り込む取込ステップと、
上記取込ステップによって取り込んだ上記コードに基づいて起動すべきアプリケーションプログラムを特定する特定ステップと、
上記特定ステップによって特定した上記アプリケーションプログラムを起動する起動ステップと、
上記取込ステップによって取り込んだ上記コードに基づいて、上記コードに含まれる情報を登録すべきデータベースを判断するデータベース判断ステップと、
上記取込ステップによって取り込んだ上記コードに含まれる情報のうち、上記アプリケーションプログラムが管理するデータベースに登録すべき項目をユーザに選択させる選択ステップと
を実行させる情報登録プログラムであって、
上記アプリケーションプログラムは、上記データベース判断ステップにより判断されたデータベースに対して、上記コードに含まれる情報のうち上記ユーザに選択された項目を登録する
情報登録プログラム。
【請求項７】
上記アプリケーションプログラムは、ユーザの買物情報を格納するための家計簿データベースに対して、上記媒体としてのレシートに印刷された上記コードに含まれる上記ユーザの買物情報を登録する
請求項６に記載の情報登録プログラム。
【請求項８】
上記アプリケーションプログラムは、個人情報を格納するための個人情報データベースに対して、上記媒体としての名刺に印刷された上記コードに含まれる上記個人情報を登録する
請求項６に記載の情報登録プログラム。
【請求項９】
上記アプリケーションプログラムは、コンテンツデータに関連する関連情報を格納するための関連情報データベースに対して、上記コンテンツデータが記憶されているデータ記憶媒体に付属の上記媒体に印刷された上記コードに含まれる上記関連情報を登録する
請求項６に記載の情報登録プログラム。
【発明の詳細な説明】
【技術分野】
【０００１】
本発明は情報処理装置、情報登録方法及びそのプログラムに関し、例えば、パーソナルコンピュータ等の情報処理装置における家計簿データベースに対して、レシートに印刷されている情報を登録する際に適用して好適なものである。
【背景技術】
【０００２】
近年、パーソナルコンピュータ等を端末として利用することにより、インターネットを介した電子商取引を行うことができるようになりつつある。このような電子商取引では、ユーザが何らかの物品を購入すると、当該購入に関する情報が示されてなる電子データ（いわゆる電子レシート）が、販売業者のサーバからユーザのパーソナルコンピュータへ発行される（例えば特許文献１参照）。
【０００３】
従ってこのパーソナルコンピュータは、発行された電子レシートを利用することにより、ユーザの購入した物品の値段等の情報を、ユーザに何ら操作を行わせることなく、家計簿データベースに対して登録することが可能である。
【先行技術文献】
【特許文献】
【０００４】
【特許文献１】特開２００１−１７５７４２公報
【発明の概要】
【発明が解決しようとする課題】
【０００５】
しかしながら実際上、上述したような電子レシートが発行されるのは、電子商取引を利用した場合に限られ、普段の買い物等においては、紙を媒体としたレシートが未だ多く利用されている。
【０００６】
従ってパーソナルコンピュータの家計簿データベースに対し、普段の買い物で購入した物品の情報等を登録する場合、ユーザはレシートに印刷されている情報を見ながらキーボードを介してこれらを１字ずつ打ち込むような入力作業を行わなければならず、使い勝手が良いとは言い得ない問題があった。
【０００７】
本発明は以上の点を考慮してなされたもので、使い勝手を格段と向上させ得る情報処理装置、情報登録方法及びそのプログラムを提案しようとするものである。
【課題を解決するための手段】
【０００８】
かかる課題を解決するため本発明においては、媒体に印刷されたコードを取り込み、取り込んだコードに基づいて起動すべきアプリケーションプログラムを特定し、特定したアプリケーションプログラムを起動し、取り込んだコードに基づいて、コードに含まれる情報を登録すべきデータベースを判断し、取り込んだ上記コードに含まれる情報のうち、アプリケーションプログラムが管理するデータベースに登録すべき項目をユーザに選択させるようにし、アプリケーションプログラムは、コードに含まれる情報を登録すべきと判断されたデータベースに対して、コードに含まれる情報のうちユーザに選択された項目を登録するようにした。
【０００９】
この結果、媒体を見ながら操作部を介して情報を１字ずつ入力するような入力作業をユーザに行わせることなく、媒体にコードとして印刷されている当該情報のうちユーザに選択された項目のみを当該情報に適したデータベースへ確実に登録することができる。
【発明の効果】
【００１０】
本発明によれば、媒体を見ながら操作部を介して情報を１字ずつ入力するような入力作業をユーザに行わせることなく、媒体にコードとして印刷されている当該情報のうちユーザに選択された項目のみを当該情報に適したデータベースへ確実に登録することができるので、この結果格段と使い勝手を向上させることができる。
【図面の簡単な説明】
【００１１】
【図１】本実施の形態における携帯電話機の構成を示す回路ブロックである。
【図２】情報登録処理の様子（１）を示す略線図である。
【図３】情報登録処理手順（１）を示すフローチャートである。
【図４】情報登録処理の様子（２）を示す略線図である。
【図５】情報登録処理手順（２）を示すフローチャートである。
【図６】本実施の形態におけるパーソナルコンピュータの構成を示す回路ブロックである。
【図７】情報登録処理の様子（３）を示す略線図である。
【図８】情報登録処理手順（３）を示すフローチャートである。
【発明を実施するための形態】
【００１２】
以下図面について、本発明の一実施の形態を詳述する。
【００１３】
（１）第１の実施の形態
図１において１は全体として携帯電話機を示し、当該携帯電話機１のＣＰＵ（Central Processing Unit）２は、記憶部３に予め格納されている基本プログラムや情報登録プログラム等の各種プログラムを、ＲＡＭ（Random Access Memory）４に読み出しこれを実行することにより、通話処理や情報登録処理（後述する）等の各種処理を実行するようになされている。
【００１４】
例えば通話処理時、ＣＰＵ２はマイクロホン５からの音声信号を通信処理部６を介してアンテナ７から送出する一方、アンテナ７を介して受信した通話相手からの音声信号を通信処理部６を介してスピーカ８へ送出するようになされている。
【００１５】
またこの記憶部３に対しては、ユーザが購入した物品の値段等の情報を管理するためのアプリケーションプログラムとして家計簿プログラムも予め格納されており、当該家計簿プログラムが使用する家計簿データベースも予め構築されている。さらにこの記憶部３に対しては、ユーザが他人から受け取った名刺に記載されている個人情報を管理するためのアプリケーションプログラムとして名刺管理プログラムも予め格納されており、当該名刺管理プログラムが使用する名刺データベースも予め構築されている。
【００１６】
ところでこの携帯電話機１は、ＣＣＤ（Charge Coupled Device）カメラ等からなる撮像部９を有しており、例えば図２に示すように、ユーザによってこの撮像部９（図２では明示しない）のフォーカスがレシートＲＣに印刷されている２次元コードＴＤＣ１に当てられた状態で所定の撮像操作が操作部１０を介して行われると、当該撮像部９を介してこの２次元コードＴＤＣ１を画像データとして取り込んだ後、上述の情報登録処理プログラムに従って情報登録処理を開始する。
【００１７】
ここで本実施の形態の場合、このレシートＲＣには、ユーザが買い物した店の店名、その店の電話番号、買物日時、ユーザの購入した購入物品の名称／値段、合計金額等の複数の項目からなる情報（以下適宜、これを買物情報とも呼ぶ）ＩＮＦ１が印刷されていると共に、当該情報ＩＮＦ１及び当該情報ＩＮＦ１が買物情報であることを識別し得るようにするための識別情報ＩＮＦ２がコード化されてなる２次元コードＴＤＣ１が印刷されている。この２次元コードＴＤＣ１としては、サイバーコード（Ｒ）やＱＲコード（Ｒ）等が適用されており、これにより情報ＩＮＦ１及び識別情報ＩＮＦ２が機械に読み取り易い状態で表現されている。
【００１８】
ここでは、図３に示すフローチャートを用いて、情報登録処理の手順ＲＴ１を説明する。また以下では、説明の便宜上、家計簿プログラム等のプログラムを適宜主体的に扱って説明を行うが、実際には携帯電話機１のＣＰＵ２が、当該プログラムに従って各種処理を実行するようになされていることは言うまでもない。
【００１９】
携帯電話機１のＣＰＵ２は、開始ステップＳＰ０からステップＳＰ１へ進み、画像データとして取り込んだ２次元コードＴＤＣ１に対して所定のデコード処理を施し、この結果、当該２次元コードＴＤＣ１によって表現されている情報ＩＮＦ１及び識別情報ＩＮＦ２をエラーなく正確に認識することができると、続くステップＳＰ２で肯定結果を得てステップＳＰ３へ進む。
【００２０】
因みにこのステップＳＰ１において、当該２次元コードＴＤＣ１によって表現されている情報ＩＮＦ１及び識別情報ＩＮＦ２を正確に認識できなかったとき、ＣＰＵ２はステップＳＰ２で否定結果を得てステップＳＰ６へ進み、所定のエラーメッセージを表示部１１に表示してユーザに撮像操作を再度行わせるように促した後、終了ステップＳＰ７へ移って情報登録処理を終了するようになされている。
【００２１】
ステップＳＰ３においてＣＰＵ２は、ステップＳＰ１で得た識別情報ＩＮＦ２を参照することにより、同じくステップＳＰ１で得た情報ＩＮＦ１が買物情報であることを認識すると、家計簿プログラム及び名刺管理プログラムのうち、家計簿データベースを管理する家計簿プログラムに対して、この情報ＩＮＦ１をインポートすべきと判断し、まず最初に記憶部３に格納されている家計簿プログラムを起動する。
【００２２】
そしてＣＰＵ２はステップＳＰ４へ移り、当該情報ＩＮＦ１に表されている複数の項目（店名、電話番号、買物日時、購入物品の名称／値段、合計金額）を表示部１１に表示した後、ユーザに操作部１０を操作させることにより、表示部１１に表示している当該複数の項目からユーザ任意の項目（例えば、店名、買物日時、購入物品の名称／値段、合計金額）を選択させる。
【００２３】
この後ＣＰＵ２は次のステップＳＰ５へ移り、当該選択された項目を家計簿データベースへ登録すべき登録情報として、家計簿プログラムへインポートする。このとき家計簿プログラムは、インポートされた登録情報を家計簿データベースのテーブルＴＢＬ１（図２）へ登録する。そしてＣＰＵ２は、終了ステップＳＰ７へ移って情報登録処理を終了する。
【００２４】
以上の構成において携帯電話機１は、レシートＲＣ上に文字で印刷されている情報ＩＮＦ１と当該情報ＩＮＦ１が買物情報であることを識別し得るようにするための識別情報ＩＮＦ２とが表現されてなる２次元コードＴＤＣ１を画像データとして取り込む。
【００２５】
このようにしてこの携帯電話機１は、レシートＲＣ上に文字で印刷されている情報ＩＮＦ１をそのまま取り込むのではなく、当該情報ＩＮＦ１が機械に認識しやすい状態で表現されてなる２次元コードＴＤＣ１を取り込むようにしたので、当該情報ＩＮＦ１を格段と確実に読み取ることができる。
【００２６】
続いて携帯電話機１は、識別情報ＩＮＦ２に基づいて情報ＩＮＦ１が買物情報であることを認識すると、記憶部３に構築されている家計簿データベース及び名刺データベースのうち、家計簿データベースに対して当該情報ＩＮＦ１を登録すべきと判断する。そして携帯電話機１は、この情報ＩＮＦ１における複数の項目のうち、ユーザによって選択された項目のみを、家計簿データベースへ登録する。
【００２７】
以上の構成によれば、レシートＲＣを見ながら操作部１０を介して買物情報ＩＮＦ１を１字ずつ入力するような入力作業をユーザに行わせることなく、レシートＲＣに印刷されている買物情報ＩＮＦ１を、当該買物情報ＩＮＦ１を格納するための家計簿データベースへ確実に登録することができるので、この結果格段と使い勝手を向上させることができる。
【００２８】
またユーザは、店でレシートＲＣが発行されたとき、その場で、当該レシートＲＣに印刷されている買物情報ＩＮＦ１を、携帯電話機１の家計簿データベースに登録することができるので、当該レシートＲＣを持ち帰る必要がなくなり、かくして一段と使い勝手を向上させることができる。
【００２９】
（２）第２の実施の形態
この第２の実施の形態においては、図１に示した携帯電話機１が、第１の実施の形態とは手順の異なる情報登録処理を実行するようになされている。
【００３０】
すなわち携帯電話機１は、例えば図４に示すように、ユーザによって撮像部９（図４では明示しない）のフォーカスが名刺ＮＣに印刷されている２次元コードＴＤＣ２に当てられた状態で操作部１０を介して所定の撮像操作が行われると、当該撮像部９を介してこの２次元コードＴＤＣ２を画像データとして取り込んだ後、情報登録処理プログラムに従って情報登録処理を開始する。
【００３１】
ここで本実施の形態の場合、この名刺ＮＣには、当該名刺ＮＣを配った人の名前、所属会社名、所属会社の住所、所属部署名等の複数の項目からなる情報（以下適宜、これを名刺情報とも呼ぶ）ＩＮＦ３が印刷されていると共に、当該情報ＩＮＦ３及び当該情報ＩＮＦ３が名刺情報であることを識別し得るようにするための識別情報ＩＮＦ４がコード化されてなる２次元コードＴＤＣ２が印刷されている。この２次元コードＴＤＣ２としては、サイバーコード（Ｒ）やＱＲコード（Ｒ）等が適用されており、これにより情報ＩＮＦ３及び識別情報ＩＮＦ４が機械に読み取り易い状態で表現されている。
【００３２】
ここでは、図５に示すフローチャートを用いて、この情報登録処理の手順ＲＴ２を説明する。また以下では、説明の便宜上、名刺管理プログラム等のプログラムを適宜主体的に扱って説明を行うが、実際には携帯電話機１のＣＰＵ２が、当該プログラムに従って各種処理を実行するようになされていることは言うまでもない。
【００３３】
携帯電話機１のＣＰＵ２は、開始ステップＳＰ１０からステップＳＰ１１へ進み、画像データとして取り込んだ２次元コードＴＤＣ２に対して所定のデコード処理を施し、この結果、当該２次元コードＴＤＣ２によって表現されている情報ＩＮＦ３及び識別情報ＩＮＦ４をエラーなく正確に得ることができると、続くステップＳＰ１２で肯定結果を得てステップＳＰ１３へ進む。
【００３４】
因みにこのステップＳＰ１１において、当該２次元コードＴＤＣ１によって表現されている情報ＩＮＦ３及び識別情報ＩＮＦ４を正確に認識できなかったとき、ＣＰＵ２はステップＳＰ１２で否定結果を得てステップＳＰ１６へ進み、所定のエラーメッセージを表示部１１に表示してユーザに撮像操作を再度行わせるように促した後、終了ステップＳＰ１７へ移って情報登録処理を終了するようになされている。
【００３５】
ステップＳＰ１３においてＣＰＵ２は、ステップＳＰ１１で得た識別情報ＩＮＦ４を参照することにより、同じくステップＳＰ１で得た情報ＩＮＦ３が名刺情報であることを認識すると、家計簿プログラム及び名刺管理プログラムのうち、名刺データベースを管理する名刺管理プログラムに対して、この情報ＩＮＦ３をインポートすべきと判断し、まず最初に記憶部３に格納されている名刺管理プログラムを起動する。
【００３６】
そしてＣＰＵ２はステップＳＰ１４へ移り、当該情報ＩＮＦ３における複数の項目（名前、所属会社名、所属会社の住所、所属部署名）を表示部１１に表示した後、ユーザに操作部１０を操作させることにより、表示部１１に表示している当該複数の項目からユーザ任意の項目（この場合、名前、所属会社名、所属会社の住所）を選択させる。
【００３７】
この後ＣＰＵ２は次のステップＳＰ１５へ移り、当該選択された項目を名刺データベースへ登録すべき登録情報として、名刺管理プログラムへインポートする。このとき名刺管理プログラムは、インポートされた登録情報を名刺データベースのテーブルＴＢＬ２（図４）へ登録する。そしてＣＰＵ２は、終了ステップＳＰ１７へ移って情報登録処理を終了する。
【００３８】
以上の構成において携帯電話機１は、名刺ＮＣ上に文字で印刷されている情報ＩＮＦ３と当該情報ＩＮＦ３が名刺情報であることを識別し得るようにするための識別情報ＩＮＦ４とが表現されてなる２次元コードＴＤＣ２を画像データとして取り込む。
【００３９】
このようにしてこの携帯電話機１は、名刺ＮＣ上に文字で印刷されている情報ＩＮＦ３をそのまま取り込むのではなく、当該情報ＩＮＦ３が機械に認識しやすい状態で表現されてなる２次元コードＴＤＣ２を取り込むようにしたので、当該情報ＩＮＦ３を格段と確実に読み取ることができる。
【００４０】
続いて携帯電話機１は、識別情報ＩＮＦ４に基づいて情報ＩＮＦ３が名刺情報であることを認識すると、記憶部３に構築されている家計簿データベース及び名刺データベースのうち、名刺データベースに対して当該情報ＩＮＦ３を登録すべきと判断する。そして携帯電話機１は、この情報ＩＮＦ３における複数の項目のうち、ユーザによって選択された項目のみを、名刺データベースへ登録する。
【００４１】
以上の構成によれば、名刺ＮＣを見ながら操作部１０を介して名刺情報ＩＮＦ３を１字ずつ入力するような入力作業をユーザに行わせることなく、名刺ＮＣに印刷されている名刺情報ＩＮＦ３を、当該名刺情報ＩＮＦ３を格納するための名刺データベースへ確実に登録することができるので、この結果格段と使い勝手を向上させることができる。
【００４２】
（３）第３の実施の形態
図６において、２０は全体としてカメラ付きのパーソナルコンピュータを示し、ＣＰＵ２１は、ハードディスクドライブ２２に予め格納されている基本プログラムや情報登録プログラム等の各種プログラムを、バス２３を介してＲＡＭ２４へ適宜読み出してこれを実行することにより、音楽再生処理や情報登録処理等の各種処理を実行するようになされている。
【００４３】
例えばＣＰＵ２１は、音楽再生処理時、音楽ＣＤ（Compact Disc）を再生するためのドライブ等からなるＣＤ再生部２５を制御することにより、音楽ＣＤに記録されている音楽データに基づいてスピーカ２６から音楽を出力する。
【００４４】
またハードディスクドライブ２２に対しては、例えばユーザの所有する音楽ＣＤの曲目等を管理するための音楽ＣＤ管理プログラムが予め格納されており、当該音楽ＣＤ管理プログラムが使用する音楽ＣＤデータベースも予め構築されている。さらにこのハードディスクドライブ２２には、その他種々のデータベースも予め構築されている。
【００４５】
ところでこのパーソナルコンピュータ２０は、ＣＣＤカメラ等からなる撮像部２７を有しており、ユーザによってこの撮像部２７のフォーカスが、図７に示すような音楽ＣＤに付属のジャケットＪＣに印刷されている２次元コードＴＤＣ３に当てられた状態で、所定の撮像操作が操作部２８を介して行われると、当該撮像部２７を介してこの２次元コードＴＤＣ３を画像データとして取り込んだ後、情報登録処理プログラムに従って情報登録処理を開始する。
【００４６】
ここで本実施の形態の場合、このジャケットＪＣには、音楽ＣＤのアルバム名、歌手名、曲名、販売会社名、ジャケット画像（例えば歌手の顔写真）の記憶場所を示すＵＲＬ（Uniform Resource Locator）等の複数の項目からなる情報（以下適宜、これを音楽ＣＤ情報とも呼ぶ）ＩＮＦ５が印刷されていると共に、当該情報ＩＮＦ５及び当該情報ＩＮＦ５が音楽ＣＤ情報であることを識別し得るようにするための識別情報ＩＮＦ６がコード化されてなる２次元コードＴＤＣ３が印刷されている。この２次元コードＴＤＣ３としては、サイバーコード（Ｒ）やＱＲコード（Ｒ）等が適用されており、これにより情報ＩＮＦ５及び識別情報ＩＮＦ６が機械に読み取り易い状態で表現されている。
【００４７】
ここでは、図８に示すフローチャートを用いて、この情報登録処理の手順ＲＴ３を説明する。また以下では、説明の便宜上、音楽ＣＤ管理プログラム等のプログラムを適宜主体的に扱って説明を行うが、実際にはパーソナルコンピュータ２０のＣＰＵ２１が、当該プログラムに従って各種処理を実行するようになされていることは言うまでもない。
【００４８】
パーソナルコンピュータ２０のＣＰＵ２１は、開始ステップＳＰ２０からステップＳＰ２１へ進み、画像データとして取り込んだ２次元コードＴＤＣ３に対して所定のデコード処理を施し、この結果、当該２次元コードＴＤＣ３によって表現されている情報ＩＮＦ５及び識別情報ＩＮＦ６をエラーなく正確に得ることができると、続くステップＳＰ２２で肯定結果を得てステップＳＰ２３へ進む。
【００４９】
因みにこのステップＳＰ２１において、当該２次元コードＴＤＣ３によって表現されている情報ＩＮＦ５及び識別情報ＩＮＦ６を正確に認識できなかったとき、ＣＰＵ２１はステップＳＰ２２で否定結果を得てステップＳＰ２６へ進み、所定のエラーメッセージを表示部２９に表示してユーザに撮像操作を再度行わせるように促した後、終了ステップＳＰ２７へ移って情報登録処理を終了するようになされている。
【００５０】
ステップＳＰ２３においてＣＰＵ２１は、ステップＳＰ２１で得た識別情報ＩＮＦ６を参照することにより、同じくステップＳＰ２１で得た情報ＩＮＦ５が音楽ＣＤ情報であることを認識すると、ハードディスクドライブ２２に予め格納されている複数種類のプログラムのうち、音楽ＣＤデータベースを管理する音楽ＣＤ管理プログラムへ、この情報ＩＮＦ５をインポートすべきと判断し、まず最初にこの音楽ＣＤ管理プログラムを起動する。
【００５１】
そしてＣＰＵ２１はステップＳＰ２４へ移り、当該情報ＩＮＦ５における複数の項目（アルバム名、歌手名、曲名、販売会社名、ＵＲＬ）を表示部２９に表示した後、ユーザに操作部２８を操作させることにより、表示部２９に表示している当該複数の項目からユーザ任意の項目（この場合、アルバム名、歌手名、曲名、ＵＲＬ）を選択させる。
【００５２】
この後ＣＰＵ２１は次のステップＳＰ２５へ移り、当該選択された項目を音楽ＣＤデータベースへ登録すべき登録情報として、音楽ＣＤ管理プログラムへインポートする。このとき音楽ＣＤ管理プログラムは、インポートされた登録情報を音楽ＣＤデータベースのテーブルＴＢＬ３（図７）へ登録する。この後ＣＰＵ２１は、終了ステップＳＰ２７へ移って情報登録処理を終了する。
【００５３】
以上の構成においてパーソナルコンピュータ２０は、ジャケットＪＣ上に文字で印刷されている情報ＩＮＦ５と当該情報ＩＮＦ５が音楽ＣＤ情報であることを識別し得るようにするための識別情報ＩＮＦ６とが表現されてなる２次元コードＴＤＣ３を画像データとして取り込む。
【００５４】
このようにしてこのパーソナルコンピュータ２０は、ジャケットＪＣ上に文字で印刷されている情報ＩＮＦ５をそのまま取り込むのではなく、当該情報ＩＮＦ５が機械に認識しやすい状態で表現されてなる２次元コードＴＤＣ３を取り込むようにしたので、当該情報ＩＮＦ５を格段と確実に読み取ることができる。
【００５５】
続いてパーソナルコンピュータ２０は、識別情報ＩＮＦ６に基づいて情報ＩＮＦ５が音楽ＣＤ情報であることを認識すると、ハードディスクドライブ２２に構築されている複数のデータベースのうち、音楽ＣＤデータベースに対して当該情報ＩＮＦ５を登録すべきと判断する。そしてパーソナルコンピュータ２０は、当該情報ＩＮＦ５における複数の項目のうち、ユーザによって選択された項目のみを、音楽ＣＤデータベースへ登録する。
【００５６】
以上の構成によれば、ジャケットＪＣを見ながら操作部２８を介して音楽ＣＤ情報ＩＮＦ５を１字ずつ入力するような入力作業をユーザに行わせることなく、ジャケットＪＣに印刷されている音楽ＣＤ情報ＩＮＦ５を、当該音楽ＣＤ情報ＩＮＦ５を格納するための音楽ＣＤデータベースへ確実に登録することができるので、この結果格段と使い勝手を向上させることができる。
【００５７】
（４）他の実施の形態
なお上述の第１乃至第３の実施の形態においては、情報処理装置として、携帯電話機１やパーソナルコンピュータ２０を適用する場合について述べたが、本発明はこれに限らず、２次元コードを取り込むことができれば、２次元コードを読み取るためのリーダ装置やＰＤＡ（Personal Digital Assistance）等を適用するようにしても良い。
【００５８】
また上述の第１乃至第３の実施の形態においては、紙等の媒体に印刷されたコードとして、２次元コードを適用する場合について述べたが、本発明はこれに限らず、バーコード等を適用するようにしても良い。
【００５９】
さらに上述の第１乃至第３の実施の形態においては、コードが印刷される媒体としてレシートＲＣや名刺ＮＣやジャケットＪＣ等の紙媒体を適用する場合について述べたが、本発明はこれに限らず、コードを印刷することができれば、プラスチック等のこの他種々の素材を適用するようにしても良い。
【００６０】
さらに上述の第１乃至第３の実施の形態においては、媒体に印刷されたコードを取り込む取込手段として、ＣＣＤカメラでなる携帯電話機１の撮像部９やパーソナルコンピュータ２０の撮像部２７を適用する場合について述べたが、本発明はこれに限らず、コードを取り込むことができればこの他種々の構成を適用することができる。
【００６１】
さらに上述の第１乃至第３の実施の形態においては、取り込んだコードに基づいて起動すべきアプリケーションプログラムを特定する特定手段として、また特定手段によって特定したアプリケーションプログラムを起動する起動手段として、携帯電話機１のＣＰＵ８やパーソナルコンピュータ２０のＣＰＵ２１を適用する場合について述べたが、本発明はこれに限らずこの他種々の構成を適用するようにしても良い。
【００６２】
さらに上述の第１乃至第３の実施の形態においては、コンテンツデータ（音楽データ）に関連する関連情報（音楽ＣＤ情報）を管理するための関連情報データベースとして、音楽ＣＤデータベースを適用する場合について述べたが、本発明はこれに限らず、この他種々のコンテンツデータに関連する関連情報を管理するためのデータベースを適用するようにしても良い。
【産業上の利用可能性】
【００６３】
本発明は、パーソナルコンピュータや携帯電話機等の情報処理装置に適用することができる。
【符号の説明】
【００６４】
１……携帯電話機、２……ＣＰＵ、９……撮像部、２０……パーソナルコンピュータ、２１……ＣＰＵ、２７……撮像部、ＲＴ１、ＲＴ２、ＲＴ３……情報登録処理手順。
【図１】
2011129136.tif 000003
【図２】
2011129136.tif 000004
【図３】
2011129136.tif 000005
【図４】
2011129136.tif 000006
【図５】
2011129136.tif 000007
【図６】
2011129136.tif 000008
【図７】
2011129136.tif 000009
【図８】
2011129136.tif 000010